(57)【要約】【課題】中空角形の支柱とネット等の柵の部材とから成る柵を、その支柱をそのまま残して透光型防音壁へスムーズに改修作業を行い得る、施工性かつ経済性に優れていると共に、美観にも優れた透光型防音壁への改修方法を提供する。【解決手段】改修前の柵は、支柱が路側に一定の間隔をあけて立設され、支柱は、中空角形であって前記支柱の道路側の面と直交する方向にボルトを挿通するための貫通孔を有した構成であり、既設の柵の支柱だけを残し該支柱以外の部材をすべて撤去する工程と、枠付き透光パネルを支柱に取り付けるためのブラケットを前記支柱の前記貫通孔に挿通するボルトによって支柱に固設する工程と、前記ブラケットに前記透光パネルを取り付ける工程とから成る。【選択図】図２
2004346681.tif 000002
【特許請求の範囲】
【請求項１】
既設の柵を透光型防音壁へ改修する方法であって、
改修前の柵は、支柱が路側に一定の間隔をあけて立設され、支柱は、中空角形であって前記支柱の道路側の面と直交する方向にボルトを挿通するための貫通孔を有した構成であり、
既設の柵の支柱だけを残し、該支柱以外の部材をすべて撤去する工程と、
枠付き透光パネルを支柱に取り付けるためのブラケットを、前記支柱の前記貫通孔に挿通するボルトによって支柱に固設する工程と、
前記ブラケットに前記透光パネルを取り付ける工程とから成ることを特徴とする、透光型防音壁への改修方法。
【請求項２】
前記ブラケットは、断面が略ハット形条材であって、該ハット形条材のウエブおよびリップにはボルト挿通用の孔が穿けられており、該ウエブは、支柱の道路側の側面に当接させて、前記支柱の貫通孔および該ウエブの孔を挿通する共通のボルトによって支柱に固設され、前記透光パネルは、その水平方向端部の枠にボルト挿通用の孔が穿けられており、前記ハット形条材のリップの孔および該透光パネル端部枠の孔を挿通する共通のボルトによって取り付けられたことを特徴とする、請求項１に記載した透光型防音壁への改修方法。
【請求項３】
前記支柱の側面を溝形の化粧カバーで覆う透光型防音壁への改修方法であって、
該溝形の化粧カバーは、該溝形のフランジ幅方向の端部にボルト挿通用の孔を形成し、前記ブラケットは、そのリップの幅方向端部に、リップ面に垂直でハット形条材のウエブ方向に向かう、ボルト挿通用の孔を有する化粧カバー係止片を形成しており、前記化粧カバーを前記支柱の側面へ配置して、前記化粧カバーの孔および前記化粧カバー係止片の孔を挿通する共通のボルトで締結することにより、支柱の側面を化粧カバーで覆う工程を含むことを特徴とする、請求項２に記載した透光型防音壁への改修方法。
【請求項４】
前記ブラケットに、孔を穿けた係止片を形成し、当該係止片の孔に透光パネルの落下防止ワイヤを挿通したことを特徴とする、請求項１〜３のいずれか一に記載した透光型防音壁への改修方法。
【発明の詳細な説明】
【０００１】
【発明の属する技術分野】
この発明は、既設の柵を透光型防音壁へ改修する方法の技術分野に属し、更に云えば、高架道路の落下防止柵に好適に実施されるネットフエンス等の柵について、路側に一定の間隔をあけて立設された支柱をそのまま残し、透光パネルを当該支柱へ取り付けることで既設の柵を透光型防音壁へ改修する方法に関する。
【０００２】
【従来の技術】
高架道路の落下防止柵に好適に実施されるネットフエンス等の柵について、路側に一定の間隔をあけて立設された支柱をそのまま残し、透光パネルを当該支柱へ取り付けることで既設の柵を透光型防音壁へ改修する方法に関する技術は、未だ見当たらない。
【０００３】
ところで、類似の技術として、防音パネルの老朽化あるいは事故による破損に備え、既設の支柱を残したままで防音パネルの取り替えを可能とする防音壁は、種々開示されている（例えば、特許文献１、２参照）。
【０００４】
前記特許文献１、２に開示された防音壁は、ともにＨ形支柱を使用しており、当該Ｈ形支柱の断面形状を有効利用して、防音パネルをＨ形支柱から容易に取り外せる構造とすることで防音パネルの取り替えを可能とすると共に、ボルトを露出させない構造とすることで美観に配慮した防音壁を実現している。
【０００５】
また、関連する技術として、隣接する防音パネルを連結して壁などの固定部材に取り付ける取り付け金具（ブラケット）の形状に工夫を施したパネル構造は、種々開示されている（例えば、特許文献３〜６参照）。
【特許文献１】
特開平６−４９８１２号公報
【特許文献２】
特開平９−３１９２５号公報
【特許文献３】
実開昭５０−１５３７１３号公報
【特許文献４】
実開昭５２−１４３８２０号公報
【特許文献５】
特開平１０−２３８２９７号公報
【特許文献６】
特開平２００２−６１１２４号公報
【０００６】
【本発明が解決しようとする課題】
上記特許文献１、２に開示された防音壁は、Ｈ形支柱を必須の構成部材としているので、中空角形の支柱とネット等の柵の部材とから成る柵を、その支柱をそのまま残して透光型防音壁へ改修する方法に適用することは不可能である。
【０００７】
また、上記特許文献１、２に開示された防音壁は、ボルトを露出させない構造とすることで美観に配慮してはいるものの、Ｈ形支柱が露出していることに変わりはない。この問題は、防音壁が、経時的に老朽化していくＨ形支柱と、取り替え可能で新品を常設できる防音パネルから構成されることを考慮すると、景観がアンバランスで見栄えが悪く、改良の余地が残されている。
【０００８】
これらの問題は、上記特許文献３〜６に開示された技術を合わせて考慮したとしても、何ら解決されるものではない。
【０００９】
本発明の目的は、中空角形の支柱とネット等の柵の部材とから成る柵を、その支柱をそのまま残して透光型防音壁へスムーズに改修作業を行い得る、施工性かつ経済性に優れていると共に、美観にも優れた透光型防音壁への改修方法を提供することである。
【００１０】
【課題を解決するための手段】
上記従来技術の課題を解決するための手段として、請求項１記載の発明に係る透光型防音壁への改修方法は、
既設の柵を透光型防音壁へ改修する方法であって、
改修前の柵は、支柱が路側に一定の間隔をあけて立設され、支柱は、中空角形であって前記支柱の道路側の面と直交する方向にボルトを挿通するための貫通孔を有した構成であり、
既設の柵の支柱だけを残し、該支柱以外の部材をすべて撤去する工程と、
枠付き透光パネルを支柱に取り付けるためのブラケットを、前記支柱の前記貫通孔に挿通するボルトによって支柱に固設する工程と、
前記ブラケットに前記透光パネルを取り付ける工程とから成ることを特徴とする。
【００１１】
請求項２記載の発明は、請求項１に記載した透光型防音壁への改修方法において、
前記ブラケットは、断面が略ハット形条材であって、該ハット形条材のウエブおよびリップにはボルト挿通用の孔が穿けられており、該ウエブは、支柱の道路側の側面に当接させて、前記支柱の貫通孔および該ウエブの孔を挿通する共通のボルトによって支柱に固設され、前記透光パネルは、その水平方向端部の枠にボルト挿通用の孔が穿けられており、前記ハット形条材のリップの孔および該透光パネル端部枠の孔を挿通する共通のボルトによって取り付けられたことを特徴とする。
【００１２】
請求項３記載の発明は、請求項２に記載した透光型防音壁への改修方法において、
前記支柱の側面を溝形の化粧カバーで覆う透光型防音壁への改修方法であって、
該溝形の化粧カバーは、該溝形のフランジ幅方向の端部にボルト挿通用の孔を形成し、前記ブラケットは、そのリップの幅方向端部に、リップ面に垂直でハット形条材のウエブ方向に向かう、ボルト挿通用の孔を有する化粧カバー係止片を形成しており、前記化粧カバーを前記支柱の側面へ配置して、前記化粧カバーの孔および前記化粧カバー係止片の孔を挿通する共通のボルトで締結することにより、支柱の側面を化粧カバーで覆う工程を含むことを特徴とする。
【００１３】
請求項４記載の発明は、請求項１〜３のいずれか一に記載した透光型防音壁への改修方法において、
前記ブラケットに、孔を穿けた係止片を形成し、当該係止片の孔に透光パネルの落下防止ワイヤを挿通したことを特徴とする。
【００１４】
【発明の実施の形態及び実施例】
図１〜図３は、請求項１に記載した発明に係る透光型防音壁への改修方法の実施形態を示している。
【００１５】
この透光型防音壁への改修方法は、既設の柵２０（図７参照）を透光型防音壁１０（図１参照）へ改修する方法であり、更に云えば、高架道路の落下防止柵に好適に実施されるネットフエンス等の柵２０について、路側に一定の間隔をあけて立設された支柱１をそのまま残し、透光パネル２を当該支柱１へ取り付ける手法に工夫を施すことにより、経済的かつ効率的に既設の柵２０を透光型防音壁１０へ改修する技術的思想に立脚している。
【００１６】
具体的に、改修前の柵２０は、支柱１が路側に一定の間隔をあけて立設され、支柱１は、中空角形であって前記支柱１の道路側の面１ｂと直交する方向にボルト２２を挿通するための貫通孔１ａを有した構成であり、
【００１７】
既設の柵２０の支柱１…だけを残し、当該支柱１…以外の部材（ボルト２２やネットなどの柵の部材２１）をすべて撤去する工程と、
【００１８】
枠付き透光パネル２を支柱１に取り付けるためのブラケット３を、前記支柱１の貫通孔１ａに挿通するボルト４によって支柱１に固設する工程と、
【００１９】
前記ブラケット３に前記透光パネル２を取り付ける工程とから成る（請求項１記載の発明）。
【００２０】
ちなみに、図７の符号２３は、柵２０の構造全体を補強するために供されるワイヤーロープであり、前記支柱１の貫通孔１ａへ挿通するボルト２２により固設された取り付け金具２４に拘束されて設置されている。勿論、このワイヤーロープ２３と取り付け金具２４は、改修時にすべて撤去される。
【００２１】
本実施形態に係る支柱１、すなわち、既設の柵２０の中空角形の支柱１は、その断面が２０×２０ｃｍ程度の中空の正方形状で（図２参照）、地上高さが２３０ｃｍ程度で実施されており、道路に沿って例えば２ｍ程度の間隔をあけて立設されている。なお、前記支柱１の実施形態はこれに限定されず、その断面形状は中空の方形状であればよく、地上高さもこれに限定されない。
【００２２】
また、前記中空角形の支柱１は、その高さ方向に所要（図示例では６０ｃｍ程度）の間隔で複数個（図示例では４個）の貫通孔１ａが設けられている。この貫通孔１ａは、既設の柵２０を施工するに際しては、上述したように、ネットなどの柵の部材２１やワイヤロープ２３を設置するために利用するものであり、透光型防音壁１０へ改修するに際しては、ブラケット３を取り付けるために利用される。なお、前記貫通孔１ａの個数は、後述するように、４個に限定されない。
【００２３】
前記ブラケット３は、枠付き透光パネル２を支柱１に取り付けるために利用されるもので、１体の支柱１に対して上下に２個設置する。この上下段に設置するブラケット３、３は、前記４個の貫通孔１ａのうち上方部分の２個と下方部分の２個の貫通孔１ａ…にそれぞれ跨る程度の高さ（６７．５ｃｍ程度）を有しており、当該貫通孔１ａにボルト４を挿通して固設する。
【００２４】
前記ブラケット３に取り付けられる枠付き透光パネル２は、本出願人が既に出願して公開された特開２００２−１４６７２４号公報（発明の名称：透光性遮音壁）に開示された遮音（透光）パネルを使用することが好ましいが、これに限定されない。
【００２５】
具体的に、図示例のブラケット３は、図２と図３に示したように、ウエブ３ａ、リップ３ｂ、及びフランジ３ｃから成る断面が略ハット形条材であって、該ハット形条材のウエブ３ａおよびリップ３ｂにはボルト挿通用の孔３ａ’、３ｂ’がそれぞれ穿けられており、該ウエブ３ａは、支柱１の道路側の側面１ｂに当接させて、前記支柱１の貫通孔１ａおよび該ウエブ３ａの孔３ａ’を挿通する共通のボルト４によって支柱１に固設される。また、前記透光パネル２は、その水平方向端部の枠２ａにボルト挿通用の孔２ａ’が穿けられており、前記ハット形条材のリップ３ｂの孔３ｂ’および該透光パネル２端部枠の孔２ａ’を挿通する共通のボルト５によって取り付けられる（請求項２記載の発明）。
【００２６】
すなわち、前記支柱１に対し、上下段に設けたブラケット３は、そのウエブ３ａの孔３ａ’を、支柱１の貫通孔１ａと一致させる位置に上下に２個設けており、そのリップ２ｂの孔２ｂ’を、透光パネル２の枠２ａの孔２ａ’と一致させる位置に上下に２個ずつ設けて実施している。
【００２７】
なお、前記ブラケット３と透光パネル２との接合手段は、図示例では、作業効率を向上させるべく、クリップナット１５を用いて実施している。すなわち、前記ブラケット３のリップ３ｂ、３ｂの両サイドからクリップナット１５、１５をそれぞれ嵌め込み、前記透光パネル端部枠２ａをクリップナット１５（フランジ３のリップ３ｂ）へ当てがうことにより形成した水平方向に一連の貫通孔へ前記ボルト５を通して締結して実施する。
【００２８】
また、前記ブラケット３の所要高さ及び設置個数、並びにそのウエブ３ａに設ける孔２ａ’の位置は、既設の支柱１に設けられた貫通孔１ａの位置や個数に対応して設計変更され、図示例に限定されない。例えば、前記貫通孔１ａが上下に間隔を大きくあけて２個しか設けられていない場合には、前記２個の貫通孔１ａを跨ぐ程度の鉛直方向に長い１個のブラケット３を使用し、当該２個の貫通孔１ａに対応する孔３ａ’をウエブ３ａに設けて実施する。前記貫通孔１ａが６個設けられている場合には、３個のブラケット３を上中下段に設置して実施してもよいし、そのうちの２個を利用しないで残りの４個の貫通孔１ａを利用して２個のブラケット３を上下段に設置して実施してもよい。要するに、前記ブラケット３を支柱１に強固に固設でき、前記透光パネル２と強固に締結できることを条件に、様々なバリエーションで実施可能である。
【００２９】
斯くして、改修された透光型防音壁１０は、前記透光パネル２を、ブラケット３を介して支柱１の前方へ突き出た形態で固設するので、隣接する透光パネル２、２同士の隙間をほとんど生じさせないで固設でき、支柱１はほとんど露出しない。
【００３０】
上段に設置するブラケット３はさらに、その上端部に、落下防止ワイヤ７を通す孔６ａを穿けた係止片６を形成しており（図３Ａ参照）、該係止片６の孔６ａに透光パネル２の落下防止ワイヤ７を挿通して実施している（請求項４記載の発明）。具体的には、図６Ａ、Ｂに示したように、１本（複数本でも勿論実施できる）の落下防止ワイヤ７を、前記係止片６の孔６ａと、隣接する透光パネル２、２の上枠に設けたアイボルト９、９へ通して該ワイヤ７の両端部をワイヤクリップで止着して実施している。これにより、車両衝突時に破損した透光パネルが落下することを回避でき、二次災害を未然に防止することができる。なお、前記係止片６は、ブラケット３と一体化した形状で実施できることはもちろんである。
【００３１】
したがって、上記工程により改修された透光型防音壁１０は、既設の柵２０の支柱１を、孔あけ加工などすることなくそのまま利用できるので、支柱を新設して構築する透光型防音壁と比して、施工性が良く、工期の短縮を図ることができる。現場作業はボルト接合が主で、溶接等をする必要もないので、透光パネル２のスムーズな取り付け作業を行うことができる。もちろん、支柱１を用意する必要がないので、支柱１に要する費用と施工費を削減でき、経済的に非常に優れている。また、支柱１が道路側にほとんど露出しないので、美観に優れている。
【００３２】
図４と図５は、透光型防音壁への改修方法の異なる実施形態を示している。この透光型防音壁１１への改修方法は、前記図１〜図３に係る透光型防音壁１０への改修方法と比して、支柱１の側面を溝形の化粧カバー１２で覆う工程が追加され、それに伴い、ブラケット３に化粧カバー係止片１３を設けていることのみ相違する。よって、支柱１や透光パネル２等については、図１〜図３と同一の符号を付してその説明を適宜省略する。
【００３３】
この溝形の化粧カバー１２は、図４に示したように、該溝形のフランジ幅方向の端部にボルト挿通用の孔１２ａを形成し、前記ブラケット３は、そのリップ３ｂの幅方向端部に、リップ面に垂直でハット形条材のウエブ３ａ方向に向かう、ボルト挿通用の孔１３ａを有する化粧カバー係止片１３を形成しており、前記化粧カバー１２を前記支柱１の側面へ配置して、前記化粧カバー１２の孔１２ａおよび前記化粧カバー係止片１３の孔１３ａを挿通する共通のボルト１４で締結している（請求項３記載の発明）。
【００３４】
前記化粧カバー１２はフッソ樹脂フィルムラミネート鋼板製であり、その高さを支柱１と同程度（２３０ｃｍ程度）で実施し、その断面を略コ字形状で実施している。なお、前記化粧カバー１２の材質はこれに限定されないことは勿論である。また、化粧カバー１２の形状もこれに限定されず、前記支柱１を覆う形状であれば、その断面を略凹面形状で実施することもできる。
【００３５】
なお、前記ブラケット３と化粧カバー１２との接合手段は、図示例では、作業効率を向上させるべく、クリップナット１６を用いて実施している。すなわち、前記ブラケット３の化粧カバー係止片１３と溝形の化粧カバー１２のフランジ幅方向の端部との重ね合わせ部に上方からクリップナット１６を嵌め込んで形成した水平方向に一連の貫通孔へ前記ボルト１４を通して締結して実施する。
【００３６】
したがって、上記工程により改修された透光型防音壁１１は、図１〜図３に係る改修された透光型防音壁１０が奏する作用効果に加えて、化粧カバー１２により、支柱１の前面を露出させないだけでなく支柱１の全側面を覆うので、美観に大変優れていると共に、雨風などによる支柱の老朽化を軽減させることに寄与する。また、透光パネル２だけでなく、化粧カバー１２も取り替え可能で新品を常設できるので、恒常的にバランスのよい景観を維持することができるのである。
【００３７】
【本発明が奏する効果】
請求項１及び２に記載した発明に係る透光型防音壁への改修方法によれば、既設の柵の支柱を、孔あけ加工などすることなくそのまま利用して改修できるので、支柱を新設して構築する透光型防音壁と比して、施工性が良く、工期の短縮を図ることができる。現場作業はボルト接合が主で、溶接等をする必要もないので、透光パネルのスムーズな取り付け作業を行うことができ、作業性に優れている。また、支柱を用意する必要がないので、支柱に要する費用と施工費を削減でき、経済的に非常に優れている。さらに、前記透光パネルを、ブラケットを介して支柱の前方に突き出た形態で実施するので、隣接する透光パネル同士の隙間をほとんど生じさせないで固設でき、支柱がほとんど露出することがなく、美観に優れている。
請求項３に記載した発明に係る透光型防音壁への改修方法によれば、上記効果に加え、化粧カバーにより、支柱の前面を露出させないだけでなく支柱の全側面を覆うので、美観に大変優れていると共に、雨風などによる支柱の老朽化を軽減させることに寄与する。また、透光パネルだけでなく、化粧カバーも取り替え可能であり全体的に優れた美観を維持することができるのである。
請求項４に記載した発明に係る透光型防音壁への改修方法によれば、上記効果に加え、支柱及びこれに隣接する透光パネルを１セットとして落下防止ワイヤで連結するので、車両衝突時に破損した透光パネルが落下することを回避でき、二次災害を未然に防止することができる。
【図面の簡単な説明】
【図１】改修した透光型防音壁を示した立面図である。
【図２】図１のＡ−Ａ線矢視断面図である。
【図３】Ａは、支柱の上段へ設置するブラケットを示した斜視図であり、Ｂは、支柱の下段へ設置するブラケットを示した斜視図である。
【図４】透光型防音壁の支柱に化粧カバーを取り付けた異なる実施形態を示した断面図である。
【図５】Ａは、支柱の上段へ設置するブラケットの異なる実施形態を示した斜視図であり、Ｂは、支柱の下段へ設置するブラケットの異なる実施形態を示した斜視図である。
【図６】透光型防音壁にワイヤを取り付けた異なる実施形態を示した断面図である。
【図７】Ａは、改修前の既設の柵を示した立面図であり、Ｂは、同側面図であり、Ｃは、支柱の一部を拡大して示した正面図であり、Ｄは、同側面図である。
【符号の説明】
１      支柱
１ａ    貫通孔
２      透光パネル
３      ブラケット
３ａ    ウエブ
３ａ’  ウエブの孔
３ｂ    リップ
３ｂ’  リップの孔
３ｃ    フランジ
４      ボルト
５      ボルト
６      係止片
６ａ    係止片の孔
７      落下防止ワイヤ
８      クリップ
９      アイボルト
１０      透光型防音壁
１１      透光型防音壁
１２      化粧カバー
１２ａ    孔
１３      化粧カバー係止片
１３ａ    孔
１４      ボルト
１５      クリップナット
１６      クリップナット
２０      既設の柵
２１      柵の部材
２２      ボルト
２３      ワイヤーロープ
２４      取り付け金具
【図１】
2004346681.tif 000003
【図２】
2004346681.tif 000004
【図３】
2004346681.tif 000005
【図４】
2004346681.tif 000006
【図５】
2004346681.tif 000007
【図６】
2004346681.tif 000008
【図７】
2004346681.tif 000009